(57)【要約】  煙草物品のパッケージ（１）であって、煙草物品のグループ（２）と、煙草物品のグループ（２）の周りを取り囲みかつ幾つかの側壁（１７、１８、１９、２０）を有するカラー（１６）と、煙草物品のグループ（２）とカラー（１６）とを取り囲む外側パッケージ（３）とを有し、この外側パッケージ（３）は、頂部壁（１２）と、頂部壁（１２）に対して平行である底部壁（１３）と、頂部壁（１２）と底部壁（１３）とに対して垂直でありかつカラー（１６）のそれぞれの側壁（１７、１８、１９、２０）に対して平行でありかつこれらの側壁（１７、１８、１９、２０）の上に載っている側壁（８、９、１０、１１）とを有する、煙草物品のパッケージ（１）。外側パッケージ（３）の側方接合壁（８、１０）は、２つのパネル（８′、８″、１０′、１０″）によって画定されており、および、この２つのパネル（８′、８″、１０′、１０″）は、別々であり、共面であり、かつ、互いに部分的に重なり合うことなしに横並びになっており、および、下に位置するカラー（１６）の側方接合壁（１７、１９）に対して両方とも接着されている。
2010508218.tif 000002
【特許請求の範囲】
【請求項１】
煙草物品のパッケージであって、
煙草物品のグループ（２）と、
前記煙草物品のグループ（２）を取り囲みかつ幾つかの側壁（１７、１８、１９、２０）を有するカラー（１６）と、
前記煙草物品のグループ（２）と前記カラー（１６）とを取り囲む外側パッケージ（３）であって、頂部壁（１２）と、前記頂部壁（１２）に対して平行である底部壁（１３）と、前記頂部壁（１２）と前記底部壁（１３）とに対して垂直である幾つかの側壁（８、９、１０、１１）とを有し、および、前記幾つかの側壁（８、９、１０、１１）は、前記カラー（１６）のそれぞれの側壁（１７、１８、１９、２０）に対して平行でありかつ前記側壁（１７、１８、１９、２０）の上に載っている外側パッケージとを備えている煙草物品のパッケージにおいて、
前記パッケージ（１）は、前記外側パッケージ（３）の側方接合壁（８、１０）が２つのパネル（８′、８″、１０′、１０″）によって画定されており、前記２つのパネル（８′、８″、１０′、１０″）は、別々であり、共面であり、かつ、互いに部分的に重なり合うことなしに横並びになっており、および、下に位置する前記カラー（１６）の側方接合壁（１７、１９）に対して両方とも接着されていることを特徴とする
煙草物品のパッケージ。
【請求項２】
前記カラー（１６）は管状である請求項１に記載の煙草物品のパッケージ。
【請求項３】
前記カラー（１６）は、前記外側パッケージ（３）の前記底部壁（１３）に接触する少なくとも１つの底部タブ（２３）を有する請求項１または２に記載の煙草物品のパッケージ。
【請求項４】
前記カラー（１６）の前記底部タブ（２３）は、前記外側パッケージ（３）の前記底部壁（１３）に接着されている請求項３に記載の煙草物品のパッケージ。
【請求項５】
前記外側パッケージ（３）は、開放頂部端部（５）を有するカップ形容器（４）と、前記開放端部（５）を開放する開放位置と前記開放端部（５）を閉鎖する閉鎖位置との間において前記容器（４）に対して相対的に回転するように、ヒンジ（７）に沿って前記容器（４）にヒンジ留めされているカップ形の蓋（６）とを備える請求項１から４のいずれか１項に記載の煙草物品のパッケージ。
【請求項６】
前記ヒンジ（７）は前記外側パッケージ（３）の前記側方接合壁（８、１０）上に配置されている請求項５に記載の煙草物品のパッケージ。
【請求項７】
前記ヒンジ（７）は、前記外側パッケージ（３）の前記側方接合壁（８、１０）の上に形成されている第１の折り曲げ線（７′）によって、および、前記カラー（１６）の前記側方接合壁（１７、１９）とその下の位置する前記第１の折り曲げ線（７′）との上に形成されている第２の折り曲げ線（７″）とによって画定されている請求項６に記載の煙草物品のパッケージ。
【請求項８】
前記第２の折り曲げ線（７″）は、前記カラー（１６）の前記側方接合壁（１７、１９）を、前記外側パッケージ（３）の前記容器（４）と一体であり、かつ、隣接する前記カラー（１６）の側壁（１９、１７）に連結されている底部部分（１７′、１９′）と、前記外側パッケージ（３）の前記蓋（６）と一体であり、かつ、隣接する前記カラー（１６）の前記側壁（１９、１７）から分離している頂部部分（１７″、１９″）とに分割する請求項６に記載の煙草物品のパッケージ。
【請求項９】
前記外側パッケージ（３）は長方形の横断面を有し、および、２つの互いに平行でありかつ互いに反対側に位置する２つの大きい方の側壁（１０、１１）と、互いに平行でありかつ互いに反対側に位置する２つの小さい方の側壁（８、９）とを備える請求項６、７、または、８に記載の煙草物品のパッケージ。
【請求項１０】
前記ヒンジ（７）が中に形成されている前記外側パッケージ（３）の前記側方接合壁（８）は小さい方の側壁（８）である請求項９に記載の煙草物品のパッケージ。
【請求項１１】
前記外側パッケージ（３）は、前記紙巻き煙草のグループ（２）の周りと前記カラー（１６）の周りとにおいて平らなブランク（２４）を折り曲げることによって形成されており、前記平らなブランク（２４）は、２つの横断方向の折り曲げ線（２５）と、幾つかの縦方向の折り曲げ線（２６）とを有し、前記幾つかの縦方向の折り曲げ線（２６）は、前記２つの横断方向の折り曲げ線（２５）の間において、前記小さい方の接合側壁（８）の一部分を形成する第１のパネル（８′）と、一方の大きい方の側壁（１１）を形成する第２のパネル（１１′）と、他方の小さい方の側壁（９）を形成する第３のパネル（９′）と、他方の大きい方の側壁（１０）を形成する第４のパネル（１０′）と、前記小さい方の接合側壁（８）の残りの部分を形成する第５のパネル（８″）とを画定する請求項１０に記載の煙草物品のパッケージ。
【請求項１２】
前記第２のパネル（１１′）と前記第４のパネル（１０′）の各々は２つの大きい方のタブ（２７）を有し、前記２つの大きい方のタブ（２７）は、前記第２のパネル（１１′）または前記第４のパネル（１０′）の互いに反対側に位置する端部に配置されており、前記２つの横断方向の折り曲げ線（２５）によって前記第２のパネル（１１′）または前記第４のパネル（１０′）から区分されており、および、前記頂部壁（１２）の一部分と前記底部壁（１３）の一部分をそれぞれに形成する請求項１１に記載の煙草物品のパッケージ。
【請求項１３】
前記第１のパネル（８′）と前記第３のパネル（９′）と前記第５のパネル（８″）の各々は２つの小さい方のタブ（２８）を有し、前記２つの小さい方のタブ（２８）は、前記第１のパネル（８′）または前記第３のパネル（９′）または前記第５のパネル（８″）の互いに反対側に位置する端部に配置されており、前記２つの横断方向の折り曲げ線（２５）によって前記第１のパネル（８′）または前記第３のパネル（９′）または前記第５のパネル（８″）から区分されており、および、前記頂部壁（１２）の一部分と前記底部壁（１３）の一部分をそれぞれに形成する請求項１１または１２に記載の煙草物品のパッケージ。
【請求項１４】
前記ブランク（２４）は、前記容器（４）と前記蓋（６）とを分離する実質的に横断方向の切り取り線（２９）を有する請求項１１、１２、または、１３に記載の煙草物品のパッケージ。
【請求項１５】
前記ヒンジ（７）が中に形成されている前記外側パッケージ（３）の前記側方接合壁（１０）は、大きい方の側壁（１０）である請求項９に記載の煙草物品のパッケージ。
【請求項１６】
前記外側パッケージ（３）は、前記紙巻き煙草のグループ（２）の周りと前記カラー（１６）の周りとにおいて平らなブランク（２４）を折り曲げることによって形成されており、前記平らなブランク（２４）は、２つの横断方向の折り曲げ線（２５）と、幾つかの縦方向の折り曲げ線（２６）とを有し、前記幾つかの縦方向の折り曲げ線（２６）は、前記２つの横断方向の折り曲げ線（２５）の間において、前記大きい方の接合側壁（１０）の一部分を形成する第１のパネル（１０′）と、一方の小さい方の側壁（８）を形成する第２のパネル（８′）と、他方の大きい方の側壁（１１）を形成する第３のパネル（１１′）と、他方の小さい方の側壁（９）を形成する第４のパネル（９′）と、前記大きい方の接合側壁（１０）の残りの部分を形成する第５のパネル（１０″）とを画定する請求項１５に記載の煙草物品のパッケージ。
【請求項１７】
前記第１のパネル（１０′）と前記第３のパネル（１１′）と前記第５のパネル（１０″）の各々は２つの大きい方のタブ（２７）を有し、前記２つの大きい方のタブ（２７）は、前記第１のパネル（１０′）または前記第３のパネル（１１′）または前記第５のパネル（１０″）の互いに反対側に位置する端部に配置されており、前記２つの横断方向の折り曲げ線（２５）によって前記第１のパネル（１０′）または前記第３のパネル（１１′）または前記第５のパネル（１０″）から区分されており、および、前記頂部壁（１２）の一部分と前記底部壁（１３）の一部分をそれぞれに形成する請求項１６に記載の煙草物品のパッケージ。
【請求項１８】
前記第２のパネル（８′）と前記第４のパネル（９′）の各々は２つの小さい方のタブ（２８）を有し、前記２つの小さい方のタブ（２８）は、前記第２のパネル（８′）または前記第４のパネル（９′）の互いに反対側に位置する端部に配置されており、前記２つの横断方向の折り曲げ線（２５）によって前記第２のパネル（８′）または前記第４のパネル（９′）から区分されており、および、前記頂部壁（１２）の一部分と前記底部壁（１３）の一部分をそれぞれに形成する請求項１６または１７に記載の煙草物品のパッケージ。
【請求項１９】
前記小さい方のタブ（２８）は三角形である請求項１８に記載の煙草物品のパッケージ。
【請求項２０】
前記小さい方のタブ（２８）は長方形である請求項１８に記載の煙草物品のパッケージ。
【請求項２１】
前記ブランク（２４）は、前記容器（４）と前記蓋（６）とを分離する実質的に横断方向の切り取り線（２９）を有する請求項１６から２０のいずれか１項に記載の煙草物品のパッケージ。
【請求項２２】
前記外側パッケージ（３）は正三角形の横断面と３つの側壁とを有する請求項６、７、または、８に記載の煙草物品のパッケージ。
【請求項２３】
前記外側パッケージ（３）は、前記側壁（８、９、１０、１１）の間に画定されている幾つかの縦方向の端縁（１４）を有する請求項１から２２のいずれか１項に記載の煙草物品のパッケージ。
【請求項２４】
前記縦方向の端縁（１４）は角張っている請求項２３に記載の煙草物品のパッケージ。
【請求項２５】
前記縦方向の端縁（１４）は丸みがある請求項２３に記載の煙草物品のパッケージ。
【請求項２６】
前記縦方向の端縁（１４）は傾斜している請求項２３に記載の煙草物品のパッケージ。
【請求項２７】
煙草物品のパッケージを生産するためにブランク（２４）を折り曲げる方法であって、前記煙草物品のパッケージは、
煙草物品のグループ（２）と、
前記煙草物品のグループ（２）を取り囲みかつ幾つかの側壁（１７、１８、１９、２０）を有するカラー（１６）と、
前記煙草物品のグループ（２）と前記カラー（１６）とを取り囲む外側パッケージ（３）であって、頂部壁（１２）と、前記頂部壁（１２）に対して平行である底部壁（１３）と、前記頂部壁（１２）と前記底部壁（１３）とに対して垂直である幾つかの側壁（８、９、１０、１１）とを有し、および、前記幾つかの側壁（８、９、１０、１１）は、前記カラー（１６）のそれぞれの側壁（１７、１８、１９、２０）に対して平行でありかつ前記側壁（１７、１８、１９、２０）の上に載っている外側パッケージ
とを備える方法において、
前記外側パッケージ（３）の側方接合壁（８、１０）を形成するように、前記ブランク（２４）の２つの別個のパネル（８′、８″、１０′、１０″）が共面でありかつ互いに部分的に重なり合うことなしに横並びになっているように、前記２つの別個のパネル（８′、８″、１０′、１０″）を、前記カラー（１６）の前記側方接合壁（１７、１９）の頂部上と、前記紙巻き煙草のグループ（２）の頂部上とに配置する段階と、
前記外側パッケージ（３）の前記側方接合壁（８、１０）の前記２つのパネル（８′、８″、１０′、１０″）を、下に位置する前記カラー（１６）の前記側方接合壁（１７、１９）に対して接着する段階と、
を含むことを特徴とする方法。
【発明の詳細な説明】
【技術分野】
【０００１】
本発明は煙草物品のパッケージに関する。
【０００２】
本発明は、以下の説明によって純粋に例示的に言及される、紙巻き煙草のヒンジ留め蓋付き硬質包装体（ｒｉｇｉｄ，ｈｉｎｇｅｄ−ｌｉｄ  ｐａｃｋｅｔ）において有利に使用されるだろう。
【背景技術】
【０００３】
紙巻き煙草のヒンジ留め蓋付き硬質包装体は、生産が容易であることと、使用が容易かつ実際的であることと、内側の紙巻き煙草を効果的に保護することとによって、現在において最も広範に販売されている。
【０００４】
紙巻き煙草のヒンジ留め蓋付き硬質包装体は、箔シートで包まれている紙巻き煙草のグループと、この紙巻き煙草のグループを収容する硬質の外側パッケージとを備える。この外側パッケージは、紙巻き煙草のグループを収容しかつ開放頂部端部を有するカップ形容器と、開放端部を開放する開放位置と開放端部を閉鎖する閉鎖位置との間においてその容器に対して相対的に回転するように、ヒンジに沿ってその容器にヒンジ留めされているカップ形の蓋とを備える。通常は、カラーが、開放端部から部分的に外方に突き出すように、かつ、蓋が閉鎖位置にある時にその蓋の対応する内側表面に係合するように、容器の内側に折り曲げられかつ嵌合させられている。
【０００５】
紙巻き煙草のヒンジ留め蓋付き硬質包装体では、外側パッケージが、カラーが取り付けられている紙巻き煙草のグループの周りに平らなブランクを折り曲げることによって形成されており、および、そのブランクの互いに重ね合わされているタブを接着することによって安定化されている。
【０００６】
２つの互いに重ね合わされたタブでは、外側タブの端縁が、通常は、その外側タブの端縁を隠蔽するためにその外側パッケージの端縁と一致させられている。上述した方法が、角張った端縁の場合に、外側タブの端縁がこの角張った端縁上にほぼ完全に重ね合わされることによって、外観に関して優れた結果をもたらすが、丸い端縁または傾斜した端縁の場合には、外側タブの端縁が、端縁上で重ね合わされるのではなく、横並びに配置されなければならないので、不完全ながら許容可能な程度の結果しかもたらさない。
【先行技術文献】
【特許文献】
【０００７】
【特許文献１】欧州特許出願公開第０７６４５９５Ａ１号明細書
【特許文献２】欧州特許出願公開第１０６６２０６Ａ１号明細書
【特許文献３】国際公開第０３０２６９８４Ａ１号パンフレット
【発明の概要】
【発明が解決しようとする課題】
【０００８】
本発明の目的が、上述の欠点を取り除くように設計されていると同時に生産が低コストかつ容易である、煙草物品のパッケージを提供することである。
【課題を解決するための手段】
【０００９】
本発明によって、添付されている特許請求項で特許請求されている煙草物品のパッケージが提供される。
【００１０】
以下では、本発明の幾つかの非限定的な実施形態を、添付図面を参照しながら例示的に説明する。
【図面の簡単な説明】
【００１１】
【図１】閉じた形状構成における、本発明による紙巻き煙草の硬質包装体の前方斜視図を示す。
【図２】開いた形状構成における、図１の紙巻き煙草の硬質包装体の前方斜視図を示す。
【図３】開いた形状構成における、図１の紙巻き煙草の硬質包装体の外側パッケージの前方斜視図を示す。
【図４】図１の紙巻き煙草の硬質包装体のカラーの後方斜視図を示す。
【図５】図１から図４における紙巻き煙草の硬質包装体の外側パッケージを形成するためのブランクの展開平面図を示す。
【図６】図１から図４における紙巻き煙草の硬質包装体のカラーの展開平面図を示す。
【図７】図１から図４における紙巻き煙草の硬質包装体の変形例の前方斜視図を示す。
【図８】閉じた形状構成における、本発明による紙巻き煙草の硬質包装体の別の実施形態の前方斜視図を示す。
【図９】図８の紙巻き煙草の硬質包装体の外側パッケージを形成するためのブランクの展開平面図を示す。
【図１０】図８の紙巻き煙草の硬質包装体のカラーの展開平面図を示す。
【図１１】閉じた形状構成における、本発明による紙巻き煙草の硬質包装体のさらに別の実施形態の前方斜視図を示す。
【図１２】図１１の紙巻き煙草の硬質包装体の外側パッケージを形成するためのブランクの展開平面図を示す。
【図１３】図１１の紙巻き煙草の硬質包装体のカラーの展開平面図を示す。
【発明を実施するための形態】
【００１２】
図１から図４では、番号１が紙巻き煙草の硬質包装体を全体として示し、この硬質包装体は、箔シートで包まれている紙巻き煙草のグループ２と、紙巻き煙草のグループ２を収容する硬質の外側パッケージ３とを備える。外側パッケージ３は、開放頂部端部５を有するカップ形の容器４と、開放頂部端部５を開放する開放位置（図２）と開放頂部端部５を閉鎖する閉鎖位置（図１）との間において容器４に対して相対的に回転するように、ヒンジ７に沿って容器４にヒンジ留めされているカップ形の蓋６とを備える。
【００１３】
蓋６の高さが変化することが好ましく、この高さがヒンジ７において最小であり、したがって、容器４は、当然のことながら、蓋６の高さに対して相補的な高さであり、この高さはヒンジ７において最大である。
【００１４】
蓋６が閉鎖位置にある時には、外側パッケージ３は長方形の横断面の平行六面体の形状であり、および、互いに平行でありかつ互いに反対側に位置した２つの小さい方の側壁８、９と、互いに平行でありかつ互いに反対側に位置した２つの大きい方の側壁１０、１１と、頂部壁１２と、頂部壁１２に対して平行でありかつ頂部壁１２に対して反対側に位置した底部壁１３とを備える。側壁８、９、１０、１１は、当然のことながら、頂部壁１２と底部壁１３とに対して垂直であり、および、小さい方の側壁８、９は大きい方の側壁１０、１１よりも小さい。
【００１５】
蓋６のヒンジ７は小さい方の側壁８の上に配置されており、したがって、この小さい方の側壁８は外側パッケージの後部壁を画定し、および、小さい方の側壁９全体は外側パッケージ３の前部壁を画定する。
【００１６】
外側パッケージ３は、側壁８、９、１０、１１の間に画定されている４つの縦方向の端縁１４と、頂部壁１２と底部壁１３と側壁８、９、１０、１１との間に画定されている８つの横断方向の端縁１５とを有する。
【００１７】
紙巻き煙草の包装体１は、さらに管状カラー１６を備え、この管状カラー１６は、折り曲げられて紙巻き煙草のグループ２の周りの管の中に入れられ、紙巻き煙草のグループ２と外側パッケージ３との間に配置されており、および、蓋６が閉鎖位置にある時に蓋６の内側表面に係合するように容器４の開放頂部端部５から部分的に突き出る。
【００１８】
図４に示されているように、カラー１６は、外側パッケージ３の小さい方の側壁８の内側表面に接触するように配置されている小さい方の側壁１７と、外側パッケージ３の小さい方の側壁９の内側表面に接触するように配置されている小さい方の側壁１８と、外側パッケージ３の大きい方の側壁１０に接触するように配置されている大きい方の側壁１９と、外側パッケージ３の大きい方の側壁１１の内側表面に接触するように配置されている大きい方の側壁２０とを備える。
【００１９】
カラー１６の機能の１つが、蓋６を開くために特定の量の力を加えることを必要とすることによって、蓋６を閉鎖位置に保つことである。この目的のために、カラー１６の前部壁１８は水平方向のスリット２１を有し、および、蓋６はタブ２２（図３に示されている）を有し、このタブ２２は蓋６の内方に突き出し、および、蓋６が閉鎖位置にある時に、蓋６を閉鎖位置に保持するためにスリット２１に釈放自在に係合する。
【００２０】
図３と図４とに示されているように、外側パッケージ３の小さい方の側壁８は、外側パッケージ３の接合壁を構成し、および、カラー１６の小さい方の側壁１７はカラー１６の接合壁を構成する。さらに明確に述べると、外側パッケージ３の小さい方の側壁８（すなわち、外側パッケージ３の側方接合壁８）は、２つの別々の共面のパネル８′、８″（より明瞭に図５に示されている）を備え、これらのパネル８′、８″は互いに部分的に重なり合うことなしに横並びに配置されており、および、下に位置するカラー１６の小さい方の側壁１７（すなわち、下に位置するカラー１６の側方接合壁１７）に対して両方とも接着されている。
【００２１】
ヒンジ７が、外側パッケージ３の小さい方の側壁８（すなわち、外側パッケージ３の側方接合壁８）の上に形成されている折り曲げ線７′と、カラー１６の小さい方の側壁１７（すなわち、カラー１６の側方接合壁１７）とその下の位置する折り曲げ線７′との上に形成されている折り曲げ線７″とによって画定されている。
【００２２】
折り曲げ線７″は、カラー１６の小さい方の側壁１７（すなわち、カラー１６の側方接合壁１７）を、外側パッケージ３の容器４と一体であり、かつ、隣接するカラー１６の大きい方の側壁１９に連結されている底部部分１７′と、外側パッケージ３の蓋６と一体であり、かつ、隣接するカラー１６の大きい方の側壁１９に対して相対的に自由に動くようにこの隣接するカラー１６の大きい方の側壁１９から分離している頂部部分１７′とに分割する。蓋６がヒンジ７を中心として回転することを可能にするように（すなわち、頂部部分１７″が折り曲げ線７″を中心として回転することを可能にするように）、カラー１６の小さい方の側壁１７の頂部部分１７″が、隣接する大きい方の側壁１９から分離されなければならないということを指摘することが重要である。
【００２３】
好ましい実施形態では、紙巻き煙草の包装体１の安定性を向上させるために、カラー１６は、外側パッケージ３の底部壁１３に接触して配置されており（すなわち、紙巻き煙草のグループ２の底部壁と外側パッケージ３の底部壁１３との間に配置されており）かつ底部壁１３に接着されていることがある、少なくとも１つの底部タブ２３を有する。
【００２４】
紙巻き煙草の硬質包装体１の外側パッケージ３は、図５に平らな形で示されているブランク２４を折り曲げることによって形成されており、および、この図５では、可能である場合に、ブランク２４の各部分が、外側パッケージ３の対応する各部分に関して、上付き記号付きの同一の照合番号を使用して示されている。
【００２５】
ブランク２４は、２つの横断方向の折り曲げ線２５と、幾つかの縦方向の折り曲げ線２６とを備え、この幾つかの縦方向の折り曲げ線２６は、２つの横断方向の折り曲げ線２５の間において、小さい方の側方接合壁８の一部分を形成するパネル８′と、大きい方の側壁１１を画定するパネル１１′と、小さい方の側壁９を画定するパネル９′と、大きい方の側壁１０を画定するパネル１０′と、小さい方の側方接合壁８の残りの部分を形成するパネル８″とを画定する。
【００２６】
パネル１０′とパネル１１′の各々は２つの大きな方のタブ２７を備え、この２つのタブ２７は、パネル１０′、１１′の互いに反対側の端部に配置されており、および、２つの横断方向の折り曲げ線２５によってパネル１０′、１１′から区分されており、および、頂部壁１２の一部分と底部壁１３の一部分をそれぞれに形成する。
【００２７】
パネル８′、９′、８″の各々は２つの小さい方のタブ２８を備え、この２つのタブ２８は、パネル８′、９′、８″の互いに反対側の端部に配置されており、および、２つの横断方向の折り曲げ線２５によってパネル８′、９′、８″から区分されており、および、頂部壁１２の一部分と底部壁１３の一部分をそれぞれに形成する。
【００２８】
ブランク２４は、さらに、容器４と蓋６とを分離する実質的に横断方向の切り取り線２９を備える。言い換えると、蓋６は、最初に切り取り線２９に沿って容器４に接合されており、および、紙巻き煙草の包装体１を開封する時にユーザが切り取り線２９によって切り取ることによって容器４から取り外される。
【００２９】
紙巻き煙草の包装体１を生産するために、カラー１６が紙巻き煙草のグループ２に対して使用されかつその周りで折り曲げられ、および、その次に、ブランク２４が紙巻き煙草のグループ２に対して使用され、かつ、カラー１６の頂部上で紙巻き煙草のグループ２の周りで折り曲げられる。ブランク２４を折り曲げる時には、パネル８′、８″とが共面でありかつ互いに部分的に重なり合うことなしに横並びであるように、カラー１６の小さい方の側方接合壁１７と紙巻き煙草のグループ２との頂部上にパネル８′、８″を配置することによって、および、下に位置するカラー１６の小さい方の側方接合壁１７に対して外側パッケージ３の小さい方の側方接合壁８のパネル８′、８″を同時に接着することによって、小さい方の側方接合壁８が最終的に形成される。
【００３０】
図１から図４の実施形態では、縦方向の端縁１４と横断方向の端縁１５とがすべて角張っている。図７の変形例では、縦方向の端縁１４は丸みがある。この場合には、丸みがある端縁１４を形成するために、ブランク２４が局所的に円形の形状に湾曲することを可能にするために、ブランク２４は、互いに近接して間隔を置かれた４つの組の縦方向の折り曲げ線を備えなければならない。図示されていない別の実施形態では、少なくとも幾つかの縦方向の端縁１４が丸みがあるか傾斜しており、または、（特許文献１に説明されている紙巻き煙草包装体の場合のように）少なくとも幾つかの横断方向の端縁１５は丸みがあるかまたは傾斜している。あるいは、この代わりに、角張っていないか、丸みがあるか、または、傾斜している縦方向の端縁１４と横断方向の端縁１５とを有するように、幾つかの縦方向の端縁１４と幾つかの横断方向の端縁１５とが、角張っていないか、丸みがあるか、または、傾斜していることも可能である。
【００３１】
図示されていない別の実施形態では、紙巻き煙草の包装体１は、特許文献２に説明されている紙巻き煙草包装体に類似しているだろうし、この明細書の場合には、大きい方の側壁１０、１１は外向きに凸状であり、および、平らな中央部分と、それぞれの尖っておりかつ角張っていない縦方向の端縁１４において小さい方の側壁８、９に対してこの平らな中央部分を連結する２つの湾曲した折り目付き側方バンドとを各々が有する。特許文献２に説明されている紙巻き煙草包装体に類似した紙巻き煙草の包装体１に対して、凸状壁を部分的に湾曲させること、または、２つの互いに反対側の壁ではなく１つの壁だけを湾曲させること、または、大きい方の側壁１０、１１ではなく小さい方の側壁８、９を湾曲させることのような変更が加えられることが可能である。一例を挙げると、特許出願第ＥＰ−Ａ１−１０６６２０６号明細書に説明されている紙巻き煙草包装体の幾つかの変形例が、特許文献３に提案されている。
【００３２】
図８は、紙巻き煙草の硬質包装体１の別の実施形態を示し、この実施形態は、外側パッケージ３の横断面に関して、および、したがって、紙巻き煙草のグループ２の形状の形状に関して、および、縦方向の端縁１４が角張っているのではなく丸みがあることによって、図１から図６の実施形態とは異なっている。
【００３３】
図８の紙巻き煙草の硬質包装体１は、さらに、ヒンジ７が小さい方の側壁８ではなく大きい方の側壁１０の上に配置されていることによって、図１から図６の硬質包装体１とは異なっている。したがって、図８の紙巻き煙草の硬質包装体１では、大きい方の側壁１０は外側パッケージ３の後部壁を構成し、および、大きい方の側壁１１は外側パッケージ３の前部壁を構成する。
【００３４】
図８の紙巻き煙草の硬質包装体１のカラー１６は、図１から図６の紙巻き煙草の硬質包装体１のカラー１６の場合のような１つの台形のタブ２３ではなく、２つの長方形の底部タブ２３を有する。
【００３５】
最後に、図８の紙巻き煙草の硬質包装体１は、外側パッケージ３の接合壁が小さい方の側壁８ではなく大きい方の側壁１０であることによって、図１から図６の硬質包装体１とは異なっている。したがって、図８の紙巻き煙草の硬質包装体１の大きい方の側壁１０は、２つの別個の共面のパネル１０′、１０″を備え、この２つの共面パネル１０′、１０″は、互いに部分的に重なり合うことなしに横並びに配置されており、下に位置するカラー１６の大きい方の側壁１９（すなわち、下に位置するカラー１６の側方接合壁１９）に対して両方とも接着されている。
【００３６】
図８の紙巻き煙草の硬質包装体１の外側パッケージ３は、図９では平らな形で示されているブランク２４を折り曲げることによって形成され、および、この図９では、可能な場合には、ブランク２４の各部分が、外側パッケージ３の対応する各部分に関して、上付き記号付きの同一の照合番号を使用して示されている。
【００３７】
ブランク２４は、２つの横断方向の折り曲げ線２５と、幾つかの縦方向の折り曲げ線２６とを備え、この幾つかの縦方向の折り曲げ線２６は、２つの横断方向の折り曲げ線２５の間において、大きい方の側方接合壁１０の一部分を形成するパネル１０′と、小さい方の側壁８を画定するパネル８′と、大きい方の側壁１１を画定するパネル１１′と、小さい方の側壁９を画定するパネル９′と、大きい方の側方接合壁１０の残りの部分を形成するパネル１０″とを画定する。
【００３８】
パネル１０′、１１′、および、１０″の各々は２つの大きな方のタブ２７を備え、この２つのタブ２７は、パネル１０′、１１′、１０″の互いに反対側の端部に配置されており、および、２つの横断方向の折り曲げ線２５によってパネル１０′、１１′、１０″から区分されており、および、頂部壁１２の一部分と底部壁１３の一部分とをそれぞれに形成する。
【００３９】
パネル８′、９′の各々は２つの長方形の小さい方のタブ２８を備え、この２つのタブ２８は、パネル８′、９′の互いに反対側の端部に配置されており、および、２つの横断方向の折り曲げ線２５によってパネル８′、９′から区分されており、および、頂部壁１２の一部分と底部壁１３の一部分とをそれぞれに形成する。
【００４０】
ブランク２４は、さらに、容器４と蓋６とを分離する実質的に横断方向の切り取り線２９を備える。
【００４１】
丸みのある端縁１４を形成するために、ブランク２４が局所的に円形の形状に湾曲することを可能にするように、ブランク２４は、互いに近接して間隔を置かれた４つの組の縦方向の折り曲げ線を備えるということを指摘することが重要である。
【００４２】
紙巻き煙草の包装体１を生産するために、カラー１６が紙巻き煙草のグループ２に対して使用されかつその周りで折り曲げられ、および、その次に、ブランク２４が紙巻き煙草のグループ２に対して使用され、かつ、カラー１６の頂部上で紙巻き煙草のグループ２の周りで折り曲げられる。ブランク２４を折り曲げる時には、パネル１０′、１０″が共面でありかつ互いに部分的に重なり合うことなしに横並びになっているように、カラー１６の大きい方の側方接合壁１９と紙巻き煙草のグループ２との頂部上にパネル１０′、１０″を配置することによって、および、下に位置するカラー１６の大きい方の側方接合壁１９に対して外側パッケージ３の大きい方の側方接合壁１０のパネル１０′、１０″を同時に接着することによって、大きい方の側方接合壁１０が最終的に形成される。
【００４３】
図１１は、紙巻き煙草の硬質包装体１のさらに別の実施形態を示し、この実施形態は、外側パッケージ３の横断面に関して、および、したがって、紙巻き煙草のグループ２の形状に関して、図８の実施形態とは異なっている。
【００４４】
図１１の紙巻き煙草の硬質包装体１のカラー１６とブランク２４は、図８の紙巻き煙草の硬質包装体１のカラーおよびブランクに非常に類似しており、したがって、このカラーおよびブランクに関する上記の説明を参照されたい。図１１の紙巻き煙草の硬質包装体１のカラー１６の底部タブ２３とブランク２４の小さい方のタブ２８とが三角形であることを指摘することが重要である。
【００４５】
図示されていないさらに別の実施形態では、紙巻き煙草の硬質包装体１が、三角形（正三角形）の横断面と好ましくは丸みのある縦方向の端縁１４とを有する外側パッケージ３を備えることがあり、この場合には、外側パッケージ３は３つの側壁（全て同一のサイズ）を有する。
【００４６】
上述した紙巻き煙草の包装体１は様々な利点を有する。すなわち、この包装体は、生産が低コストで容易であり、かつ、角張っていない端縁の場合でさえ、外側パッケージ３に目に見える重複部分がないので優れた外観を有する。
【００４７】
上述した紙巻き煙草の包装体１の設計が、さらに、その様々な利点によって、紙巻き煙草のグループではなく、包装体を含まないということを除いて上述した包装体１と実質的に同一である、紙巻き煙草の（硬質および軟質の両方の）包装体のカートンの製造にも完全に適用されることが可能である。
【符号の説明】
【００４８】
１    紙巻き煙草の硬質包装体
２    紙巻き煙草のグループ
３    外側パッケージ
４    カップ形容器
５    開放頂部端部
６    カップ形蓋
７    ヒンジ
８、９    小さい方の側壁
１０、１１    大きい方の側壁
１２    頂部壁
１３    底部壁
【図１】
2010508218.tif 000003
【図２】
2010508218.tif 000004
【図３】
2010508218.tif 000005
【図４】
2010508218.tif 000006
【図５】
2010508218.tif 000007
【図６】
2010508218.tif 000008
【図７】
2010508218.tif 000009
【図８】
2010508218.tif 000010
【図９】
2010508218.tif 000011
【図１０】
2010508218.tif 000012
【図１１】
2010508218.tif 000013
【図１２】
2010508218.tif 000014
【図１３】
2010508218.tif 000015
【手続補正書】
【提出日】平成20年8月30日(2008.8.30)
【手続補正１】
【補正対象書類名】明細書
【補正対象項目名】０００６
【補正方法】変更
【補正の内容】
【０００６】
２つの互いに重ね合わされたタブでは、外側タブの端縁が、通常は、その外側タブの端縁を隠蔽するためにその外側パッケージの端縁と一致させられている。上述した方法が、角張った端縁の場合に、外側タブの端縁がこの角張った端縁上にほぼ完全に重ね合わされることによって、外観に関して優れた結果をもたらすが、丸い端縁または傾斜した端縁の場合には、外側タブの端縁が、端縁上で重ね合わされるのではなく、横並びに配置されなければならないので、不完全ながら許容可能な程度の結果しかもたらさない。
特許文献４は、煙草物品のグループと、この煙草物品のグループを取り囲みかつ幾つかの側壁を有するカラーと、煙草物品のグループとカラーとを取り囲む外側パッケージとを備え、および、この外側パッケージは、頂部壁と、この頂部壁に対して平行である底部壁と、頂部壁と底部壁とに対して垂直である幾つかの側壁とを有し、この幾つかの側壁は、カラーのそれぞれの側壁に対して平行でありかつこれらの側壁の上に載る、紙巻き煙草のヒンジ留め蓋付き硬質包装体を開示している。この蓋のヒンジが、外側パッケージの小さい方の側壁上に配置されている。
【手続補正２】
【補正対象書類名】明細書
【補正対象項目名】０００７
【補正方法】変更
【補正の内容】
【０００７】
【特許文献１】欧州特許出願公開第０７６４５９５Ａ１号明細書
【特許文献２】欧州特許出願公開第１０６６２０６Ａ１号明細書
【特許文献３】国際公開第０３０２６９８４Ａ１号パンフレット
【特許文献４】欧州特許出願公開第１７１２４７０１Ａ１号明細書
【国際調査報告】
2010508218.tif 000016
2010508218.tif 000017
2010508218.tif 000018